(57)【特許請求の範囲】
【請求項１】
被清掃面に向って吸込口が形成された吸込口本体と、前記吸込口本体の前方に形成されて前記吸込口と連通し、前記被清掃面の塵埃を掃き飛ばす清掃体を回転可能に収納する吸入室と、前記吸込口本体の後方に形成され、前記吸込口からの塵埃が誘導される誘導室と、前記吸入室と前記誘導室とを連通し、前記清掃体の回転軸方向の幅とほぼ等しい幅で開口形成された誘導口と、前記吸込口本体の後方中央部分に設けられた連結筒とを備え、前記誘導口の底部には、前記吸込口側が低く、前記誘導室側が高い傾斜を有する誘導斜面が設けられており、前記誘導斜面を、下端を前記清掃体と被清掃面との交点のうち前記誘導口側の交点の接線より低い位置に設け、前記誘導室の底面を、前記誘導口側が高く前記連結筒側が低くなるように傾斜させるとともに、両側面から前記連結筒側に向って傾斜させていることを特徴とする掃除機の吸込口体。
【請求項２】
前記誘導室は、前記吸込口側が低くかつ前記底面に対向する方向に上方傾斜した上面、前記吸込口本体の後方中央部分に向って傾斜を有する背面、前記吸込口本体の後方中央部分に向けた傾斜を有する側面のうち少なくとも１つを備えたことを特徴とする請求項１記載の掃除機の吸込口体。
【請求項３】
前記吸込口本体の後方中央部分に向けた傾斜を有する側面を前記誘導室に備えたものにおいて、側面側から前記吸込口本体の後方中央部分に向けた傾斜角を１３５°以上としたことを特徴とする請求項２記載の掃除機の吸込口体。
【請求項４】
前記誘導室は、前記吸込口側が低く、前記連結筒側が高い傾斜を有する誘導上面を設けたことを特徴とする請求項１記載の掃除機の吸込口体。
【請求項５】
前記誘導室内に外気を導くダクトを形成したことを特徴とする請求項１、２、３、４のいずれか１つに記載の掃除機の吸込口体。
【請求項６】
前記誘導室には、前記誘導斜面と底面との間に前記誘導口から外部に塵埃が放出することを防ぐ空隙または段差を設けたことを特徴とする請求項１、２、３、４、５のいずれか１つに記載の掃除機の吸込口体。
【請求項７】
前記清掃体にブラシを植毛し、前記ブラシの植毛角度を該ブラシと被清掃面との接触ラインからの法線がそれぞれ前記吸込口本体の後方中央部分に向くようにしたことを特徴とする請求項１、２、３、４、５、６のいずれか１つに記載の掃除機の吸込口体。
【発明の詳細な説明】
【０００１】
【発明の属する技術分野】
本発明は、回転体を回転駆動する駆動手段を備えた掃除機の吸込口体に関するものである。
【０００２】
【従来の技術】
図１８は例えば特開２０００―３５４５６７号公報に記載された従来の掃除機の吸込口体を示す側面断面図、図１９は平面断面図である。吸込口本体３０の前部には、床面側に開口した吸込口３１を備えた吸入室３２が設けられ、吸入室３２は連通管３３を介して掃除機本体（図示せず）と連通している。３４は吸入室３２内に回転自在に設けられた回転清掃体で、吸込口本体３０内に収容された駆動手段により高速回転する。３５は回転清掃体３４に設けられたブラシ、３６は吸込室３２のほぼ中央に連通して区画形成された風路室である。掃除を行う際、吸込口本体３０の床面上での走行により、床面が絨毯等の場合、駆動手段によって回転する回転清掃体３４のブラシ３５が床面から塵埃を掃き飛ばして吸込口３１から風路室３６を通って連通管３３へ吸塵していた。
【０００３】
【発明が解決しようとする課題】
しかしながら、上記従来の構成では、回転清掃体３４により掃き飛ばされた塵埃が吸入室３１の壁面３７に衝突し、再び床面へ落下してしまうことがあり、落下した塵埃を再度吸引したり、壁面３７に衝突した塵埃を落下する前に吸引するためには、流速の速い気流を発生させる必要があった。したがって、大型のブロアモータを用いなければならず、消費電力が大きくなるとともに、掃除機本体の質量が重くなり、ブロアモータに起因した回転騒音が大きくなるなどという課題があった。また、吸引力が大きいと吸込口が絨毯等に吸い付く力が大きくなるため、走行性が低下するという課題もあった。
【０００４】
本発明は上記の課題を解決するためになされたものであり、集塵性能に優れた掃除機の吸込口体を提供することを目的とする。
【０００５】
【課題を解決するための手段】
本発明に係わる掃除機の吸込口体は、被清掃面に向って吸込口が形成された吸込口本体と、前記吸込口本体の前方に形成されて前記吸込口と連通し、前記被清掃面の塵埃を掃き飛ばす清掃体を回転可能に収納する吸入室と、前記吸込口本体の後方に形成され、前記吸込口からの塵埃が誘導される誘導室と、前記吸入室と前記誘導室とを連通し、前記清掃体の回転軸方向の幅とほぼ等しい幅で開口形成された誘導口と、前記吸込口本体の後方中央部分に設けられた連結筒とを備え、前記誘導口の底部には、前記吸込口側が低く、前記誘導室側が高い傾斜を有する誘導斜面が設けられており、前記誘導斜面を、下端を前記清掃体と被清掃面との交点のうち前記誘導口側の交点の接線より低い位置に設け、前記誘導室の底面を、前記誘導口側が高く前記連結筒側が低くなるように傾斜させるとともに、両側面から前記連結筒側に向って傾斜させているものである。
【０００６】
また、前記誘導室は、前記吸込口側が低くかつ前記底面に対向する方向に上方傾斜した上面、前記吸込口本体の後方中央部分に向って傾斜を有する背面、前記吸込口本体の後方中央部分に向けた傾斜を有する側面のうち少なくとも１つを備えたものである。
【０００７】
また、前記吸込口本体の後方中央部分に向けた傾斜を有する側面を前記誘導室に備えたものにおいて、側面側から前記吸込口本体の後方中央部分に向けた傾斜角を１３５°以上としたものである。
【０００８】
また、前記誘導室は、前記吸込口側が低く、前記連結筒側が高い傾斜を有する誘導上面を設けたものである。
【０００９】
また、前記誘導室内に外気を導くダクトを形成したものである。
【００１０】
また、前記誘導室には、前記誘導斜面と底面との間に前記誘導口から外部に塵埃が放出することを防ぐ空隙または段差を設けたものである。さらに、前記清掃体にブラシを植毛し、前記ブラシの植毛角度を該ブラシと被清掃面との接触ラインからの法線がそれぞれ前記吸込口本体の後方中央部分に向くようにしたものである。
【００１１】
実施の形態１．
以下、図１〜図５を用いて説明する。
図１は本発明の実施の形態１に係る掃除機の吸込口体を示す中央部の側面断面図、図２は吸込口体端部の側面断面図、図３は吸込口体中央部の平面断面図、図４は吸込口体上端部の平面断面図、図５は吸込口体の平面図である。図において、１は吸込口本体、２は吸込口本体１後方に設けられた連結筒であり、吸込口本体１は連結筒２を介して掃除機本体（図示せず）と連通している。また、吸込口本体１には、下面に吸込口３が開口形成され、回転清掃体４を回転可能に収納する吸入室５が形成されている。４ａは回転清掃体４に設けられたブラシである。６は吸込口本体１の後方に設けられ連結筒２と連通する誘導室、７は吸入室５と誘導室６を連通する誘導口であり、回転清掃体４の回転軸方向の幅とほぼ同じ幅で開口形成されている。８は誘導口７の底部に設けられた誘導斜面であり、吸入室５側が低く誘導室６側が高くなるように傾斜している。９は誘導室６の底面を示す誘導底面であり、水平面、傾斜面、傾斜曲面等で形成されている。実施の形態１では、誘導口７側が高く連結筒２側が低くなるように傾斜した傾斜面の構成について記載している。９ａは誘導底面９の連結筒２との接合部であり、誘導底面９と連結筒２は同一面で接合されている。
【００１２】
１０は誘導室６の誘導口７側上面を示す誘導上面であり、誘導斜面８と同じ方向の傾斜を有している。また、誘導上面１０は吸入室５の上面５ａと一体的に形成されている。１１は誘導室６の連結筒２側を示す誘導背面であり、その上部は誘導底面９に対して向かい合うように誘導室６内側に傾斜している。１２は吸込口本体１の前方両端部にそれぞれ設けた走行用の前車輪、１３は吸込口本体１の後方に設けた後車輪である。１４は吸入室５の上面５ａ及び誘導上面１０の上部に設けられた駆動室であり、図２に示すとおり、ベルト１５ａを介して回転清掃体４を高速回転させる駆動手段１５が収容されている。図３において、１６は誘導室６の側面を示す誘導側面であり、誘導斜面８の側端部分から連結筒２側へ傾斜しており、その傾斜角は４５°以上となるように形成されている。
【００１３】
次に、吸込口体の動作について説明をする。
回転清掃体４は駆動手段１５、ベルト１５ａにより吸込口３から塵埃を誘導室６へ掃き飛ばす方向に高速回転し、ブラシ４ａで床面の塵埃を掃き飛ばす。そして、掃き飛ばされた塵埃は誘導口７から塵埃の慣性力と空気流により誘導室６へ入り、連結筒２から掃除機本体（図示せず）へ吸塵される。
【００１４】
このように構成された実施の形態１に示す吸込口体は、回転清掃体４とほぼ同一の幅で誘導口７が開口しているため、回転清掃体４のどの位置で掃き飛ばされた塵埃も誘導口７を介して誘導室６へ入れることができる。また、例えば少ない風量で掃除する時も、回転清掃体４に掃き飛ばされた塵埃は自らの慣性力と空気流で誘導室６へ集塵され、さらに掃除機本体へ吸塵されるので、集塵効率が向上する。また、吸込口３が絨毯等に吸い付くほどの吸引力が必要ないため、走行性がよい。
【００１５】
また、誘導上面１０は誘導口７の誘導斜面８と同じ方向の傾斜を有しているので、誘導口７から入った塵埃が誘導上面１０に衝突・反発しても、誘導室６内へ反発するように塵埃を誘導するとともに、吸引気流を整流して塵埃をスムーズに誘導室６へ吸引することができる。また、誘導斜面８は、図１及び２に示すように、下端を回転清掃体４と床面との交点のうち誘導口７側の交点Ｘの接線より低い位置に設けたので、塵埃が回転清掃体４から掃き飛ばされる時の飛び出し角度がおおよそ床面交点の接線方向を中心とした分布であることを考慮すると、塵埃は誘導斜面８に沿ってまたは衝突して反発しながらもスムーズに誘導室６内に誘導される。さらにまた、誘導口７の誘導斜面８の下端と床面との隙間を捕集目的の塵埃が通過できない程度にすれば、誘導口７の後方へ塵埃を残すことなく、効率よく吸塵できるものである。
【００１６】
また、誘導底面９は連結筒２側に傾斜しているので、誘導底面９に落下した塵埃は重力により接合部９ａ側に滑り落ちる。そして、誘導底面９と連結筒２は同一面で接合されているので、塵埃は容易に連結筒２へ誘導される。また、誘導背面１１上部は誘導室６内側に向って傾斜しているので、連結筒２への吸引気流を整流する。さらに、回転清掃体４で掃き飛ばされた塵埃は誘導背面１１に衝突・反発しても誘導底面９側に誘導されるので、誘導口７から放出してしまうことを防止している。
【００１７】
また、誘導側面１６は、連結筒２側に傾斜しているので、回転清掃体４端部で掃き飛ばされた塵埃は誘導側面１６に衝突・反発し、誘導室６中心側、連結筒２側に誘導される。これにより吸塵性能が向上するとともに、吸引口体の外形・体積を小さくする効果が得られる。
【００１８】
つまり、誘導斜面８、誘導室６の壁面（誘導底面９、誘導上面１０、誘導背面１１、誘導側面１６）に傾斜を設けることで、塵埃の誘導と吸気流制御によりスムーズな集塵を実現でき、吸塵性能が向上する。
【００１９】
また、駆動手段１５を吸込口本体１の上部に配置することにより誘導室６のスペースを十分確保することができる。
【００２０】
図６、図７、図８、図９は、誘導斜面の別の形態を示す吸込口体の側面断面図であり、図において、図１〜図５に示す構成に相当する構成には同じ符号を付し説明を省略する。また、図６、図７、図８において、誘導底面９は傾斜していないが傾斜させてもよい。図６は誘導斜面８ａと誘導底面９とが連続した面で一体的に形成され、接続部分に段差がない形状を示している。これにより、塵埃をスムーズに誘導することができる。図７は誘導斜面８ｂと誘導底面９との接続部分に段差Ｙが形成されている。この段差Ｙにより吸込口本体１が掃除中に持ち上げられ誘導口７が下向きになっても、誘導底面９にある塵埃が重力により誘導口７側にすべり落ちていくが、塵埃は段差Ｙにあたって保持され、誘導口７から放出されることを防止する。図８は誘導斜面８ｃと誘導底面９との間に空隙Ｚを設け、図７同様、吸込口本体１が掃除中に持ち上げられ誘導口７が下向きになっても、塵埃は空隙Ｚに溜まり、誘導口７から放出することを防ぐことができる。図９は誘導斜面８ｄと誘導底面９とが連続した曲面で一体的に形成された形状を示している。さらにスムーズに塵埃を誘導することができる。
【００２１】
図１０は回転清掃体４に植毛されたブラシ４ａの植毛角度の一例を示す図であり、図中、Ａはブラシ４ａと床面との接触ラインを示し、Ｂは接線ラインＡの法線を示している。図に示すように、ブラシ４ａは、法線Ｂがそれぞれ連結筒２の方向へ向くように植毛されている。この構成により、塵埃は、ブラシ４ａによって法線Ｂ方向に掃き飛ばされるため、効率よく連結筒２から吸塵される。
【００２２】
実施の形態２．
図１１は本発明の実施の形態２に係る掃除機の吸込口体を示す中央部の側面断面図、図１２は吸込口体端部の側面断面図、図１３は吸込口体中央部の平面断面図、図１４は吸込口体上端部の平面断面図、図１５は吸込口体の平面図である。図において、実施の形態１と同一または相当する構成には同じ符号を付し説明を省略する。図中、１７は吸込口本体１に形成されたダクトであり、誘導上面１０から誘導底面９近傍まで延設されており、外部からの空気が誘導室６内に吸入される。ダクト１７から吸引された空気は連結筒２へ流れる誘引気流を形成し、誘導底面９の塵埃を連結筒２へ搬送する。ダクト１７から吸引される誘引気流によって誘導底面９の塵埃をスムーズに掃除機本体へ吸塵することができる。
【００２３】
実施の形態３．
図１６は本発明の実施の形態３に係る掃除機の吸込口体を示す端部の側面断面図、図１７は吸込口体中央部の平面断面図である。図において、実施の形態１と同一または相当する構成には同じ符号を付し説明を省略する。図中、１８は誘導室６の一側面に形成する誘導側面であり、図１７に示すとおり、吸込口本体１の端部から連結筒２側に傾斜して形成されている。１９は誘導室６の側面であり、連結筒２側には傾斜されていない。実施の形態３では、吸込口本体１の外観がほぼ矩形になるように構成されており、駆動手段１５、ベルト１５ａを配置する駆動室１４を、誘導側面１８と吸込口本体１の外殻との間に形成している。回転清掃体４により掃き飛ばされた塵埃は、誘導口７より誘導室６へ塵埃の慣性力と空気流により入る。そして、塵埃は、誘導斜面８、誘導背面１１、誘導側面１８の傾斜によって、スムーズに吸塵される。
【００２４】
以上のように本発明は、次の効果が得られるものである。吸込口本体の前方に形成されて吸込口と連通し、被清掃面の塵埃を掃き飛ばす清掃体を回転可能に収納する吸入室と、吸込口本体の後方に形成され、吸込口からの塵埃が誘導される誘導室と、吸入室と誘導室とを連通し、前記清掃体の回転軸方向の幅とほぼ等しい幅で開口形成された誘導口と、前記吸込口本体の後方中央部分に設けられた連結筒とを備え、前記誘導口の底部には、前記吸込口側が低く、前記誘導室側が高い傾斜を有する誘導斜面が設けられており、前記誘導斜面を、下端を前記清掃体と被清掃面との交点のうち前記誘導口側の交点の接線より低い位置に設け、前記誘導室の底面を、前記誘導口側が高く前記連結筒側が低くなるように傾斜させるとともに、両側面から前記連結筒側に向って傾斜させているので、清掃体のどの位置で掃き飛ばされた塵埃も、慣性力により、自ら誘導室に入り込み、低風量でも高い集塵性能を得ることができる。また、誘導口の底部には、吸込口側が低く、誘導室側が高い傾斜を有する誘導斜面が設けられているので、清掃体で掃き飛ばされた塵埃をスムーズに誘導室へ誘導することができ、集塵性能が向上する。さらに、塵埃が清掃体から掃き飛ばされる時の飛び出し角度がおおよそ床面交点の接線方向を中心とした分布であることを考慮すると、塵埃は誘導斜面に沿ってまたは衝突して反発しながらもスムーズに誘導室内に誘導される。
【００２５】
また、誘導室は、吸込口側が低くかつ底面に対向する方向に上方傾斜した上面、吸込口本体の後方中央部分に向って傾斜を有する背面、吸込口本体の後方中央部分に向けた傾斜を有する側面のうち少なくとも１つを備えたので、傾斜による塵埃の衝突・反発を利用して塵埃を誘導室内へ誘導するとともに、誘導室への吸引気流を整流することができ、集塵性能が向上する。
【００２６】
また、誘導側面は、連結筒側に傾斜しているので、回転清掃体端部で掃き飛ばされた塵埃は誘導側面に衝突・反発し、誘導室中心側、連結筒側に誘導される。これにより吸塵性能が向上するとともに、吸引口体の外形・体積を小さくする効果が得られる。
【００２７】
また、誘導室は、誘導斜面と同じ方向の傾斜を有する上面を設けたので、塵埃の衝突・反発を利用して塵埃を誘導室内へ誘導するとともに、誘導室への吸引気流を整流することができ、塵埃をスムーズに誘導室へ誘導し、集塵性能が向上する。
【００２８】
また、誘導室内に外気を導くダクトを形成したので、例えば誘導口以外の吸引経路から連結筒へ向かう吸引気流が発生し、誘導室の塵埃を連結筒へ誘導することができ、集塵性能が向上する。
【００２９】
さらに、誘導室には、誘導斜面と底面との間に誘導口から外部に塵埃が放出することを防ぐ空隙または段差を設けたので、吸込口体を持ち上げた時に誘導室の底面にある塵埃が逆流するのを防止し、塵埃の再放出防止効果が得られる。またさらに、清掃体にブラシを植毛し、ブラシの植毛角度を該ブラシと被清掃面との接触ラインからの法線がそれぞれ吸込口本体の後方中央部分に向くようにしたので、塵埃は、ブラシによって法線方向に掃き飛ばされるため、効率よく連結筒から吸塵される。
【図面の簡単な説明】
【図１】  本発明の実施の形態１に係る掃除機の吸込口体を示す中央部の側面断面図である。
【図２】  本発明の実施の形態１に係る掃除機の吸込口体を示す端部の側面断面図である。
【図３】  本発明の実施の形態１に係る掃除機の吸込口体を示す中央部の平面断面図である。
【図４】  本発明の実施の形態１に係る掃除機の吸込口体を示す上端部の平面断面図である。
【図５】  本発明の実施の形態１に係る掃除機の吸込口体を示す平面図である。
【図６】  実施の形態１における誘導斜面及び誘導底面の別の形態を示す側面断面図である。
【図７】  本実施の形態１における誘導斜面及び誘導底面の別の形態を示す側面断面図である。
【図８】  実施の形態１における誘導斜面及び誘導底面の別の形態を示す側面断面図である。
【図９】  実施の形態１における誘導斜面及び誘導底面の別の形態を示す側面断面図である。
【図１０】  実施の形態１における回転清掃体のブラシの塵埃の掃き飛ばし方向を説明する図である。
【図１１】  本発明の実施の形態２係る掃除機の吸込口体を示す中央部の側面断面図である。
【図１２】  本発明の実施の形態２に係る掃除機の吸込口体を示す端部の側面断面図である。
【図１３】  本発明の実施の形態２に係る掃除機の吸込口体を示す中央部の平面断面図である。
【図１４】  本発明の実施の形態２に係る掃除機の吸込口体を示す上端部の平面断面図である。
【図１５】  本発明の実施の形態２に係る掃除機の吸込口体を示す平面図である。
【図１６】  本発明の実施の形態３に係る掃除機の吸込口体を示す端部の側面断面図である。
【図１７】  本発明の実施の形態３に係る掃除機の吸込口体を示す中央部の平面断面図である。
【図１８】  従来の掃除機の吸込口体を示す端部における側面断面図である。
【図１９】  は従来の掃除機の吸込口体を示す平面断面図である。
【符号の説明】
１  吸込口本体、２  連結筒、３  吸込口、４  回転清掃体、４ａ  ブラシ、
５  吸入室、６  誘導室、７  誘導口、８  誘導斜面、９  誘導底面、
１０  誘導上面、１１  誘導背面、１４  駆動室、１５  駆動手段、
１５ａ  ベルト、１６  誘導側面、１７  ダクト、１８  誘導側面、
１９  側面。
【図１】
0004347538.tif 000002
【図２】
0004347538.tif 000003
【図３】
0004347538.tif 000004
【図４】
0004347538.tif 000005
【図５】
0004347538.tif 000006
【図６】
0004347538.tif 000007
【図７】
0004347538.tif 000008
【図８】
0004347538.tif 000009
【図９】
0004347538.tif 000010
【図１０】
0004347538.tif 000011
【図１１】
0004347538.tif 000012
【図１２】
0004347538.tif 000013
【図１３】
0004347538.tif 000014
【図１４】
0004347538.tif 000015
【図１５】
0004347538.tif 000016
【図１６】
0004347538.tif 000017
【図１７】
0004347538.tif 000018
【図１８】
0004347538.tif 000019
【図１９】
0004347538.tif 000020